(57)【要約】【課題】  光アンプへの入力パワーが突然変化した場合に、正常な残りの波長に影響を与えることなく光通信を行うことができる波長多重システムを提供する。【解決手段】  各波長のトランスポンダ部１６の光モジュール１４に電力を供給する電源線の途中に電圧の遮断を遅延させる電源断遅延手段１５を設ける。電源断遅延手段１５は、各波長毎に、異なる電源断の遅延を与える。この遅延の長さは、ＡＭＰ部がＡＬＣモードからＡＧＣモードに切り替わるのに必要な時間程度か、より大きく取る。すると、複数のトランスポンダ部１６に電源を供給する電源が故障して、多数の波長が一辺に出力停止する場合でも、実際の光信号は、１波長ずつゆっくりと出力停止になるので、ＡＭＰ部の動作が十分追いつき、光信号のパワーレベルが大きくなりすぎて、非線形効果を生じ、出力停止になっていない波長に悪影響を与えることを防止することができる。【選択図】図１
2005260325.tif 000002
【特許請求の範囲】
【請求項１】
複数の波長の光信号を多重して送信する波長多重システムにおいて、
送信側において、複数の波長の信号が出力停止になる場合に、出力停止が発生する波長の光信号が停止するタイミングをそれぞれ異ならせるための出力停止遅延手段
を備えることを特徴とする波長多重システム。
【請求項２】
電気信号を光信号に変換する光モジュールへの電源供給ラインに前記信号断遅延手段を設けたことを特徴とする請求項１に記載の波長多重システム。
【請求項３】
前記信号断遅延手段は、電気信号を光信号を変換するブロックであるトランスポンダと、該トランスポンダに電力を供給する電源との間に設けられることを特徴とする請求項１に記載の波長多重システム。
【請求項４】
前記信号断遅延手段は、各波長の処理装置が搭載される各ボードを収容するバックボード上の電源供給ラインに設けられることを特徴とする請求項１に記載の波長多重システム。
【請求項５】
前記信号断遅延手段は、光送信側の光ＡＴＴ部、光波長多重部、あるいはトランスポンダ部に設けられることを特徴とする請求項１に記載の波長多重システム。
【発明の詳細な説明】
【技術分野】
【０００１】
本発明は、波長多重システムに係り、特には、他波長救済機能を備える波長多重システムに関する。
【背景技術】
【０００２】
近年、波長多重通信システム（以下、ＷＤＭシステム）がバックボーン回線として多用されてきており、そのＷＤＭシステムが導入されてから数年が経過しているが、回線容量が大きくなるに従い、ＷＤＭシステムに多重する波長数が任意に変化しても、残留波長の回線には影響の無いＷＤＭシステムを構築することが必須の条件となりつつある。
【０００３】
図１３は、従来のＷＤＭシステムの送信部と受信部の概略構成を示す図である。
ＷＤＭシステムの送信部１は、クライアントシステムの信号をＷＤＭシステムに収容可能な形式（ナローバンドの光信号）に変換するトランスポンダ部（ＴＲＰ部）１０、各波長を合波するＭＵＸ部１１、合波した光信号を一括増幅するＡＭＰ部１２および、送信光信号の光強度を調整するＡＴＴ１３という機能ブロックで構成されている。ＷＤＭシステムの受信部２は、受信した波長多重信号を増幅するＡＭＰ部１４、波長多重信号を各波長に分波するＤＭＵＸ部１５及び、光信号を電気信号であるクライアント信号に変換するトランスポンダ部１６という機能で構成されている。
【０００４】
送信部１では、クライアントシステムからの信号をトランスポンダ部１０で波長変換した光信号は、固定または可変の光減衰器（ＡＴＴ１３）によって、光パワーが調整され、ＭＵＸ部１１に入力され、ＭＵＸ部１１で波長多重される。波長多重された光は、長距離伝送するためにＡＭＰ部１２にて一括増幅される。受信部２では、波長多重された信号を波長分離したときにトランスポンダ部１６で受信可能な光パワーにするために、ＡＭＰ部１４にて一括増幅し、ＤＭＵＸ部１５にて多重信号を１波毎に分離する。波長分離された各々の信号はトランスポンダ部１６にて、クライアントシステムにて受信可能な光強度、波長に変換する。
【０００５】
図１４は、ＡＭＰ部の動作モードについて説明する図である。
ここで、ＷＤＭシステムに収容する波長数の変更の影響をなくす方法として、従来は、ＡＭＰ部の利得制御の方式を通常時はＡＬＣ（自動出力パワー一定制御：トータル出力パワーを一定にする）で運用し、波長数の変更を行う場合には、ＡＭＰ部の利得制御をＡＧＣ（自動利得一定制御）に切り替えて実施することが知られている。この方式により、波長数が変更になっても、ＡＭＰ部の利得制御が十分追従できる速度で、光を段階的に追加したり、削除したりしても、他の波長の光レベルは変化しないため、伝送には影響を与えない。
【０００６】
すなわち、ＷＤＭシステムでは、アンプ部に入力される各波長の光パワーがおおよそ等しくなるようにＡＴＴ部で制御させるために、図１４（ａ）で示されるＡＬＣモードにおいては、出力パワー一定モードであるため、各々の波長の光パワーも一定になる。つまり、入力パワーに関わらず、出力パワーを一定にする制御を実施しているため、ＡＭＰ部に入力する光パワーが各波長でほぼ同じとなるＷＤＭシステムでは、ＡＭＰ部から出力される一波あたりのパワーの制御が可能である。また、全体の波長の出力パワーを一定にするように、出力パワーの目標値を持って制御を行っているため、１波あたりの光パワーの誤差が非常に少ない。ＡＬＣモードの動作は、以下の式で表される。
１波あたりの出力パワー（ｄＢｍ）＝（全体の出力パワー）−（１０×ｌｏｇ（波長数））
また、図１４（ｂ）で示されるＡＧＣモードにおいては、増幅率一定モードであるため、各波長の光パワーは、入力パワーのみに関わってくる。すなわち、
１波の出力パワー（ｄＢｍ）＝（１波の入力パワー）＋増幅率（ｄＢ）
となり、増幅率を一定とする制御を行う場合は、１波あたりの出力パワーの目標値を持って制御しているわけではないために、１波あたりの出力パワーが、長い年月で誤差を生じ易いという欠点がある。
【０００７】
従って、ＡＭＰ部は、図１４（ｃ）で示されるように、通常は、ＡＬＣモードで動作し、波長数の変更などがある場合に、ＡＧＣモードに移行し、波長数の変更が終わると、再びＡＬＣモードに戻るという動作をするように構成されている。
【０００８】
このため、ある波長の増設・減設をする際にＡＧＣ制御が十分追従可能なように増減設を行うために、波長多重する前に光減衰器を備えることにより、急激な光が突然入力しても光減衰器により、これを無視できるレベルまで阻止し、また、増設・減設する際には、段階的に光減衰器の減衰量を調整することによりＡＭＰ部の利得制御が追従で可能な速度まで光変動を抑えていた。
【０００９】
しかし、従来の方法では、システムのオペレータが意図した増設・減設においては他の波長に影響なく波長数を変更することが出来たが、ある波長が突然切れた場合等のＡＭＰ部への入力が突然変化した場合には、その光の変動速度は緩慢ではないため、他の波長に影響を与える可能性があり、問題となる。
【００１０】
図１５は、従来の問題点を説明する図である。
ＡＭＰ部の出力のパワーは、中継装置なしで、より長距離伝送するために、受信側の最小受光レベルが決まっているために、送信側は高出力のほうが望ましいが、ＷＤＭ技術を使用した伝送方式では、光ファイバへの光入射の１波あたりのパワーが高い場合、光の非線形効果により光ファイバ伝送後、波長間相互に干渉を起こし、結果として他の波長に影響を与えてしまうため、光ファイバ入射側の１波あたりのパワーを制限しなければいけないことが一般に知られている。オペレータの意図した増設・減設の場合は、ＡＭＰ部の利得制御をＡＬＣ（通常運用）→ＡＧＣ（波長増設・減設）→ＡＬＣ（通常運用）と変化させることにより、ＡＭＰ部から光ファイバへの１波あたりの入射パワーを制御することにより光の非線形効果を抑制することができたが、例えば、トランスポンダ部が故障した場合等の、突然ある波長が切れてＡＭＰ部への入力パワーが突然減少した場合は、なんらかの手段を用いてＡＬＣからＡＧＣに利得制御を遷移させたとしてもその遷移のタイムラグの間は、ＡＬＣモードで波長数が変化したことになり、その結果として１波あたりの光パワーが結果的に大きく見えてしまい（図１５の中ほどの図において、点線部分が信号断があった波長であり、他の波長の光パワーが大きくなっている）、光の非線形効果により運用中の波長に影響が出てしまう。実際には、この非線形現象は、ある程度システムに光のマージンを持せているため、１波、２波の変動では起こりえないが、例えば、ＡＭＰ部以前のシステムブロックにおいて、多数の波長に影響があるような故障が発生し、消失した波長が多数発生したような場合には、残った波長の光のレベル変動が光マージン内の変動に収まらず、残った波長に非線形現象が現れ、残った波長でも、増減設による影響が出てしまう。
【００１１】
従来の光信号断による悪影響を取り除こうとする技術として特許文献１がある。特許文献１においては、電源部を２重化し、電源部の故障を見つけるアラーム信号を主信号に合波して伝送路に送り出すようにしている。
【特許文献１】特開平１１−３４１５３０号公報
【発明の開示】
【発明が解決しようとする課題】
【００１２】
図１６に、従来の問題の現象が発生する例として、４０波で運用しているＷＤＭシステムがトランスポンダ部（ＴＲＰ部）の故障により、４波に減少したときのＡＭＰ出力パワーの変動について示す。１波あたり３ｄＢｍで出力しているＡＭＰ部では、ＡＬＣモードで４０波なら、１９ｄＢｍで出力する制御を行っている。ここで、突然トランスポンダ部（ＴＲＰ部）の電源が故障し、３６波収容している装置が停止したとする。この場合、３６波の光が同時に停止するために、ＭＵＸ部に入力された光（つまりＡＭＰ部に入力された光が）、ＡＬＣモードで4波になってしまう。この状態でのＡＭＰ部の出力は、ＡＬＣモードで動作しているために、１９ｄＢｍで出力を維持しようと制御する。4波で１９ｄＢｍ、つまり１波あたり１３ｄＢｍの光がＡＭＰ部から出力されてしまう。この状態は、ＡＭＰ部が波長消失を感知するまでの間続き、ＡＭＰ部が波長消失を感知した後には、ＡＧＣモードに遷移し、正規の増幅率になり、１波あたりの出力パワーも正規の値に遷移する。ここでＴＲＰ部の故障からＡＭＰ部が波長消失を感知するまでの間は、数百ｍｓ〜数秒であるが、１波あたりの光パワーが急激に増加する場合、非線形現象により残った波長に悪影響が出てしまう。この現象は、ＡＧＣの場合であっても利得制御が追従できないような速さで波長断が発生した場合は、同様に残った波長に影響が出てしまう。
【００１３】
本発明の課題は、光アンプへの入力パワーが突然変化した場合に、正常な残りの波長に影響を与えることなく光通信を行うことができる波長多重システムを提供することである。
【課題を解決するための手段】
【００１４】
本発明の波長多重システムは、複数の波長の光信号を多重して送信する波長多重システムにおいて、送信側において、複数の波長の信号が出力停止になる場合に、出力停止が発生する波長の光信号が停止するタイミングをそれぞれ異ならせるための出力停止遅延手段を備えることを特徴とする。
【００１５】
本発明においては、出力停止の原因が発生しても、実際に光出力が停止になるタイミングを各波長毎に出力停止遅延手段によって異ならせているので、一瞬で、多数の波長が出力停止状態になり、光アンプがＡＬＣからＡＧＣに切り替わることが出来ずに、出力を停止していない光信号に悪影響を与えることが無いように構成されている。
【発明の効果】
【００１６】
本発明によれば、光アンプへの入力パワーが突然急激に変化した場合にも、障害が生じた波長以外の波長に悪影響を与えることなく、通常の光通信を継続することができる。
【発明を実施するための最良の形態】
【００１７】
多数の波長が突然切れる場合には、多数の光学部品が同時故障することは非常にまれであるため、現実的に考えられるものとして以下の場合が挙げられる。
・複数のＬＤに電源を供給するトランスポンダ部の電源が故障した場合
・ＭＵＸ部を構成する光部品へ供給する電圧変換部が故障した場合
・ＡＴＴ部が電気制御可能なものの時、複数の光ＡＴＴ部へ電源を供給する回路ブロックが故障した場合。
【００１８】
以下、図面を参照して本発明の実施形態について説明するが、同様な構成要素には同様な参照番号を付す。
図１は、本発明の実施形態の概要を説明する図である。
【００１９】
図１において、電源装置１０は、送信部の各部に電力を供給する電源であり、通常２重化されている。電圧変換部１２は、電源装置１０からの供給電圧をそれぞれの回路に適した電圧に変換して供給する。電気回路部１３は、トランスポンダ部１６を制御する回路であり、光モジュール１４は、それぞれの波長の光信号を生成・送出する装置である。
【００２０】
各部の電圧変換部１２へ供給しているおおもとの電源装置１０は、通常２重化されているが、両系故障が発生した場合、従来の構成だと電源故障時、故障した各部の光の出力停止時間まで考慮されていないため、電源故障の発生と同じタイミングで、故障の発生した部位から出力されるべき、光出力も停止してしまう。本発明の実施形態では、電源供給装置１０配下の光出力が同時に出力停止することを防ぐために、同一の機能ブロックには異なる電源断遅延手段１５を用いることにより、各波長の出力停止に時間差をつけるようにする。
【００２１】
すなわち、図１において、ＡまたはＢの位置に電源断遅延手段を挿入し、光モジュールＸ、Ｙ、Ｚに供給される電圧が同時に供給されなくなるような故障が発生した場合、出力停止遅延時間の異なる電源遅延手段をそれぞれ光モジュールＸ、Ｙ、Ｚに設け、光出力Ｘでは、時間Ｘ後に出力が停止し、光出力Ｙでは、時間Ｙ後に出力が停止し、光出力Ｚでは、時間Ｚ後に出力が停止するようにする。このように、各波長において、光出力の停止の時間が異なり、ＡＭＰ部への入力光の減少が緩慢になる。従って、電圧供給に障害が発生しなかった箇所の光出力ＸＸの載っている光信号は、非線形効果の発生による影響を受けない。
【００２２】
図２は、図１の実施形態において、電源断遅延手段をコンデンサとする形態を説明する図である。
図２においては、ＷＤＭシステムのトランスポンダ部の構成において、電源断遅延手段としてコンデンサを使用する。
【００２３】
供給される電源が同時になくなった場合、各波長の光を出力する光モジュールへの電源が、コンデンサＸ、コンデンサＹ、コンデンサＺ（１５’）の容量の違いにより、その容量に応じた時間だけ光モジュール１４’に電源が供給され、コンデンサの容量が光モジュール１４’のレーザが出力を停止する。この停止の時間が波長によって異なることによって、各波長がいっせいに切れることを防ぐことが可能となる。
【００２４】
すなわち、ＡまたはＢの位置に各波長毎に異なる容量のコンデンサ（容量Ｘ／Ｙ／Ｚ）１５’を入れておき、電源装置１０故障、ヒューズ１１が冗長構成の２系統とも故障した場合等において、トランスポンダ部１６の各波長のＥ／Ｏ部１４’のレーザに同時に電源が供給されなくなる場合が発生したとき、各波長ブロックごとにコンデンサ１５’に蓄えられている電荷が異なるために、レーザへの電源の供給時間が異なるので、光出力Ｘは、時間Ｘ後に出力が停止し、光出力Ｙでは、時間Ｙ後に出力が停止し、光出力Ｚでは、時間Ｚ後にレーザの出力が停止するようになる。
【００２５】
図３は、図１の実施形態において、電源断遅延手段をバックアップ電源と電源監視手段で構成した形態を説明する図である。
図３においては、ＷＤＭシステムのトランスポンダ部１６の構成において、電源断遅延手段としてバックアップ電源２０を使用する。
【００２６】
図３におけるレーザ出力停止に時間差を設ける方法は以下のとおりである。トランスポンダ部１６へ電源を供給している電源装置１０またはヒューズ１１に両系故障が発生した場合、供給する電源が切れたことを電源監視部２１が検知し、自動的にバックアップ電源２０に切り替える。バックアップ電源２０に切り替わるとバックアップ電源２０配下のレーザに対して、電源監視部２１が、ある一定の間隔で個別にレーザ出力停止の指示を出す。この指示によって各波長の出力停止の時間を異なるようにすることが可能となる。つまり、本実施形態を施したトランスポンダ部１６に接続されたＡＭＰ部は、トランスポンダ部１６の電源故障が発生し、多数の波長が切れるような状況になったとしても、ＡＭＰ部から見るとまず、ある１波長が切れた後、ＡＧＣに遷移する時間があり、その後利得制御が追従できるような時間で、１波ごと波長が切れていくようになり、電源故障が発生していないトランスポンダ部１６の回線には、非線形効果による影響がでない。
【００２７】
図４は、電源断遅延手段であるコンデンサを電圧変換部と光モジュールの間に設けた構成について説明する図である（図２のＡの箇所にコンデンサを入れたもの）。
ＷＤＭシステムのトランスポンダ部１６の構成において、各波長への変換機能を実現したボード上の光モジュール（Ｅ／Ｏ部）１４への電源供給ラインの位置に各波長（各ボード）毎に個別のコンデンサ１５を挿入する。電源装置１０の故障が発生した場合には、電源装置１０からの電源供給がなくなってから各ボードに個別に載っているコンデンサ１５の容量に応じた時間だけ光モジュール１４に電源が供給され、コンデンサ１５の電荷がなくなると光モジュール１４のレーザが出力を停止する。この停止の時間がボードにより異なることにより、各波長が一斉に切れることを防ぐことが可能となる。
【００２８】
図５は、電源断遅延手段としてのコンデンサをヒューズと電圧変換部との間に設けた構成について説明する図である（図２のＢの箇所にコンデンサをいれたもの）。
ＷＤＭシステムのトランスポンダ部１６の構成において、各波長への変換機能を実現したボード上の電圧変換部１２への電源供給ラインの位置に各波長（各ボード）毎に個別のコンデンサ１５”を挿入する。電源装置１０の故障が発生した場合には、電源装置１０からの電源供給がなくなってから各ボードに個別に載っているコンデンサ１５”の容量に応じた時間だけ電圧変換部１２に電源が供給され、このコンデンサ１５”に蓄えられた電荷分だけボードは動作を続ける。コンデンサ１５”の容量がなくなるとボードの動作が停止し、その結果、光モジュール１４のレーザが出力を停止する。この停止の時間がボードにより異なることにより、各波長が一斉に切れることを防ぐことが可能となる。
【００２９】
なお、図５の構成では、コンデンサ１５”のヒューズ１１側にダイオードＤが設けられている。これは、コンデンサ１５”が放電するときに、電流が、電源装置１０の方に逆流しないようにするために設けられたものである。
【００３０】
図６は、図５の構成の変形例を示す図である。
ＷＤＭシステムのトランスポンダ部１６の構成において、各波長への変換機能を実現したボード３１とヒューズ部１１を結ぶコネクタ上（バックボード３０）の電源供給ラインの位置に各スロット毎（各波長変換機能ボードへの配線を接続するスロット毎）に個別の値のコンデンサ１５”を挿入する。この配置を行うことにより、結果的に各ボード毎に異なる容量のコンデンサが挿入されたように見える。電源装置１０の故障が発生した場合には、電源装置１０からの電源供給がなくなってからバックボード３０に載っている各ボード３１に接続されたコンデンサ１５”の容量に応じた時間だけ電圧変換部に電源が供給され、このコンデンサ１５”に蓄えられた電荷分だけボードは動作を続ける。コンデンサ１５”の容量がなくなるとボード３１の動作が停止し、その結果、光モジュールのレーザが出力を停止する。この停止の時間がボード３１により異なることにより、各波長が一斉に切れることを防ぐことが可能となる。図５と同じく、コンデンサ１５”の前段には、電流逆流防止用ダイオードＤが設けられている。
【００３１】
図７及び図８は、本発明の別の実施形態を示す図である。
ＷＤＭシステムのＡＴＴ部４０として可変ＡＴＴ４１を制御して使用しているシステム構成において、可変ＡＴＴブロック４１に電源断遅延手段として、コンデンサ１５’または、バックアップ電源２０を使用する。
【００３２】
電源１０装置の故障、、ヒューズ１１の両系断、または、多数の可変ＡＴＴ部に電源を供給する電圧変換部１２の故障等が発生し、可変ＡＴＴ部４１に供給する電源が切れた場合、可変ＡＴＴ４１はその特性により、減衰量が最大または最小になる。減衰量が最大になる場合には、故障した電源系に接続されたＡＴＴ部４０は、バックアップ電源２０を用いて制御されるか、または、波長ごとに値に異なるコンデンサ１５’により各波長ごとに光出力を停止する時間が変わることにより、各波長が一斉に切れることを防ぐことが可能となる。反対に減衰量が最小になる場合には、故障した電源系に接続されたＡＴＴ部４０は、バックアップ電源２０を用いて制御されるか、または、波長ごとに値の異なるコンデンサ１５’によりＡＴＴ部４０を制御して波長毎に異なる時間に出力を停止するようにすることにより、各波長が一斉に切れることが可能となる（出力を停止するのはＡＴＴで行うのではなく、可変ＡＴＴの減衰量が最小になるときに起動するような手段をもったシャッターで行う）。図７のように、バックアップ電源２０によって制御する場合には、制御回路４２を設け、それぞれの可変ＡＴＴ４１が、異なる時間で減推量を最大にするように制御すると共に、光信号の送信を停止させる制御を行う。
【００３３】
図９は、本発明の更に別の実施形態を示す図である。
ＷＤＭシステムのＭＵＸ部５０−１、５０−２として各波長が波長グループ毎に機能分割されている構成において、ＭＵＸ部５０−１、５０−２に電源遅延手段５３として、コンデンサまたは、バックアップ電源を使用する。
【００３４】
電源装置の故障、または、ヒューズの両系断等が発生し、ＭＵＸ部５０−１、５０−２を構成する光モジュール部５１に供給する電源が切れた場合、ＭＵＸ部５０−１、５０−２の光モジュール５１の通過波長が変わってしまうため、故障時バックアップ電源又は、モジュールに供給する電源系に接続されたコンデンサにより一定の時間モジュールの光出力が異常状態になるのを防ぎ、ＭＵＸ部５０−１、５０−２の電源系が故障したことをＡＴＴ部に通知することにより、該当する波長を制御する光ＡＴＴ４１は、ＡＭＰ部への入力が急に減少しないように徐々に出力を停止させる。ＭＵＸ部５０−１、５０−２の電源は光ＡＴＴが徐々に出力を停止するまでの時間正常であれば、電源系の故障が発生していないＭＵＸ部５０−１、５０−２に属する波長に影響ないようにすることが可能となる。
【００３５】
可変ＡＴＴ４１に故障通知するために、ＭＵＸ部５０−１、５０−２に、電圧変換部１２からの電源電圧を監視する電圧異常検出回路５２を設ける。
図１０及び図１１は、本発明の実施形態において、電源断等の検出およびその通知を行うための構成を説明する図である。
【００３６】
ＷＤＭシステムのＡＭＰ部１２の光入力パワーが変動した場合、ＡＭＰ部１２がＡＬＣモードで動作しているため、突然の波長数減少に対応させるために、ＡＧＣモードへ切り替わるまでの間の光変化を緩慢にすることが必要である。これに対し、ＡＧＣモードへの変化のトリガとなる光モジュールへの電源供給が断になったこをＡＭＰ部１２に通知する手段も必要となる。
【００３７】
図１０は、ＷＤＭシステムの送信部１のブロック構成図である。光信号は、トランスポンダ部１０で波長変換され、ＡＴＴ部１３で、最適なパワーに調整され、その後ＭＵＸ部１１で波長多重されたのち、ＡＭＰ部１２において一括増幅される。ＡＭＰ部１２以外の電源故障は、故障した箇所に属する光波長以外は影響のないことがシステム的に必要である。ここで、トランスポンダ部１０のある波長の電源系が故障した場合には、その故障は光デバイス故障通知ラインＡを使ってＡＭＰ部１２に伝えられ、ＡＭＰ部１２は、ＡＧＣモードに遷移する。ＡＴＴ部のある波長の電源系が故障した場合には、その故障は光デバイス故障通知ラインＢを使って、ＡＭＰ部１２に伝えられ、ＡＭＰ部１２はＡＧＣモードに遷移する。ＭＵＸ部１１のある波長の電源系が故障した場合には、その故障は、光デバイス故障通知ラインＣを使って、ＡＭＰ部１２に伝えられ、ＡＭＰ部１２は、ＡＧＣモードに遷移する。
【００３８】
図１１においては、光信号は、トランスポンダ部１０で波長変換され、ＡＴＴ部１３で、最適なパワーに調整され、その後ＭＵＸ部１１で波長多重された後、ＡＭＰ部１２おいて一括増幅される。なお、図１１のＴ−１は、電源変換部、Ｔ−２は、電源断遅延手段、Ｔ−３〜Ｔ−７は、トランスポンダ部１０の光モジュール、Ａ−１〜Ａ−５は、波長λｎ用の光減衰器、Ｍ−１〜Ｍ−７は、ＭＵＸ部１１の光入力検出手段である。ここで、トランスポンダ部１０のある波長の電源系が故障した場合には、結果的にトランスポンダ部１０の光モジュールＴ−３〜Ｔ−７の電源供給が止まるために、その出力が無くなる。出力が無くなったのを受けて、ＡＴＴ部１３で光入力断を検出し、それが光入力断通知ラインを通ってＡＭＰ部１２に伝えられ、ＡＭＰ部１２は、波長が減少したことがわかる。従って、ＡＭＰ部１２は、ＡＧＣモードに遷移する。ＡＴＴ部１３のある波長の電源系が故障した場合には、ＭＵＸ部１１において光入力断を検出し、それが、光入力断検知ラインを通って、ＡＭＰ部１２に伝えられることにより、ＡＭＰ部１２に伝えられ、ＡＭＰ部１２は、ＡＧＣモードに遷移する。
【００３９】
図１２は、図１１の障害検知方法を使う場合の一実施形態を示す図である。
なお、図１１の障害検知方法は、本実施形態のみに適用可能であるのではなく、前述の実施形態にも適用可能である。
【００４０】
また、図１２中の記号の意味は、図１１と同じである。
ＷＤＭシステムの電源故障を、次段の光レベルモニタの変化をもって検知する方法の場合、ある１波長のみ電源故障が直接信号断となるようにして、残りの波長は電源遅延手段を使ってＡＧＣモードに切り替わるまでの間光を出しつづけるようにすることが可能である。つまり、電源断遅延手段をトランスポンダ部１０またはＡＴＴ部１３に挿入するが、ある波長には、電源断遅延手段を挿入せず、その他の波長には、電源遅延手段を挿入するようにする。
【００４１】
電圧変換部Ｔ−１で、システムに供給される電源をシステム内で使用する電源に変換し、システム内の、ある波長のみ電源断遅延手段Ｔ−２を通さずに直接電源を光モジュールＴ−３に接続する。トランスポンダ部１０の電源故障等が発生し、トランスポンダ部１０の光モジュールＴ−３〜Ｔ−７の電源供給が断たれた場合、電源断遅延手段Ｔ−２を挿入していない光モジュールＴ−３の出力がまずシャットダウンする。その他の光モジュールＴ−４〜Ｔ−７については、電源断遅延手段Ｔ−２が動作しているために、そのまま光を出し続ける。ＡＴＴ部１３では、トランスポンダ部１０からの光入力が１波分消失したのを受けて、これを光入力断通知ラインを使って、ＡＭＰ部１２に通知する。ＡＭＰ部１２は、その通知を受けて、ＡＧＣモードに遷移する。ＡＧＣモードに遷移した後に、トランスポンダ部１０の電源断遅延手段Ｔ−２の動作が終了し、残った波長が順次シャットダウンしていく。この方法で、波長の減少をＡＭＰ部１２の入力光パワーが急激に減少する前にＡＭＰ部１２へ伝えることができるために、ＡＭＰ部１２への光入力がＡＬＣモードのときに突然急激に減少することがなくなり、故障が発生していない波長には影響せず、ＡＭＰ部１２へのＡＧＣ遷移制御を実施することが可能となる。この電源断遅延手段Ｔ−２を１波だけ挿入しない方法は、トランスポンダ部１０への適用だけではなく、ＡＴＴ部１３にも適用することができる。
（付記１）
複数の波長の光信号を多重して送信する波長多重システムにおいて、
送信側において、複数の波長の信号が出力停止になる場合に、出力停止が発生する波長の光信号が停止するタイミングをそれぞれ異ならせるための出力停止遅延手段
を備えることを特徴とする波長多重システム。
【００４２】
（付記２）
電気信号を光信号に変換する光モジュールへの電源供給ラインに前記信号断遅延手段を設けたことを特徴とする付記１に記載の波長多重システム。
【００４３】
（付記３）
前記信号断遅延手段は、電気信号を光信号を変換するブロックであるトランスポンダと、該トランスポンダに電力を供給する電源との間に設けられることを特徴とする付記１に記載の波長多重システム。
【００４４】
（付記４）
前記信号断遅延手段は、各波長の処理装置が搭載される各ボードを収容するバックボード上の電源供給ラインに設けられることを特徴とする付記１に記載の波長多重システム。
【００４５】
（付記５）
前記信号断遅延手段は、光送信側の光アッテネータ部、光波長多重部、あるいはトランスポンダ部に設けられることを特徴とする付記１に記載の波長多重システム。
【００４６】
（付記６）
前記信号断遅延手段は、コンデンサ、あるいは、予備電源と電源の供給を制御する回路からなることを特徴とする付記１に記載の波長多重システム。
【００４７】
（付記７）
信号断の原因となる電源断を検出した場合に、該検出を光アンプに専用線を使って通知することを特徴とする付記１に記載の光波長多重システム。
【００４８】
（付記８）
波長多重されるべき波長用の送信器の内、ある１つの波長については、信号断遅延手段が設けられないことを特徴とする付記１に記載の波長多重システム。
【００４９】
（付記９）
前記タイミングは、光アンプがＡＬＣからＡＧＣに遷移するための時間より遅く、且つ、光アンプの利得制御が追従可能な程度とすることを特徴とする付記１に記載の波長多重システム。
【００５０】
（付記１０）
複数の波長の光信号を多重して送信する波長多重システムにおける制御方法において、
送信側において、複数の波長の信号断が発生する場合に、信号断が発生する波長の光信号が断になるタイミングをそれぞれ異ならせるための信号断遅延手段を設け、信号断の発生タイミングを変えることによって、一度に多数の波長の信号断が発生しないよう制御するステップ
を備えることを特徴とする方法。
【図面の簡単な説明】
【００５１】
【図１】本発明の実施形態の概要を説明する図である。
【図２】図１の実施形態において、電源断遅延手段をコンデンサとする形態を説明する図である。
【図３】図１の実施形態において、電源遅延手段をバックアップ電源と電源監視装置で構成した形態を説明する図である。
【図４】電源断遅延手段であるコンデンサを電圧変換部と光モジュールの間に設けた構成について説明する図である。
【図５】電源断遅延手段としてのコンデンサをヒューズと電圧変換部との間に設けた構成について説明する図である。
【図６】図５の構成の変形例を示す図である。
【図７】本発明の別の実施形態を示す図（その１）である。
【図８】本発明の別の実施形態を示す図（その２）である。
【図９】本発明の更に別の実施形態を示す図である。
【図１０】本発明の実施形態において、電源断等の検出およびその通知を行うための構成を説明する図（その１）である。
【図１１】本発明の実施形態において、電源断等の検出およびその通知を行うための構成を説明する図（その２）である。
【図１２】図１１の障害検知方法を使う場合の一実施形態を示す図である。
【図１３】従来のＷＤＭシステムの送信部と受信部の概略構成を示す図である。
【図１４】ＡＭＰ部の動作モードについて説明する図である。
【図１５】従来の問題点を説明する図である。
【図１６】従来の問題の現象が発生する例として、４０波で運用しているＷＤＭシステムがトランスポンダ部（ＴＲＰ部）の故障により、４波に減少したときのＡＭＰ出力パワーの変動について示す図である。
【符号の説明】
【００５２】
１０      電源装置
１１      ヒューズ
１２      電圧変換部
１３      電気回路部
１４      光モジュール
１４’      Ｅ／Ｏ部
１５      電源断遅延手段
１５’、１５”      コンデンサ
１６      トランスポンダ部１６
２０      バックアップ電源
２１      電源監視部
３０      バックボード
３１      波長変換機能ボード
４０      ＡＴＴ部
４１      可変ＡＴＴ
４２      制御回路
５０−１、５０−２      ＭＵＸ部
５１      波長多重光モジュール
５２      電圧異常検出回路
５３      電源断遅延手段（コンデンサあるいはバックアップ電源）
【図１】
2005260325.tif 000003
【図２】
2005260325.tif 000004
【図３】
2005260325.tif 000005
【図４】
2005260325.tif 000006
【図５】
2005260325.tif 000007
【図６】
2005260325.tif 000008
【図７】
2005260325.tif 000009
【図８】
2005260325.tif 000010
【図９】
2005260325.tif 000011
【図１０】
2005260325.tif 000012
【図１１】
2005260325.tif 000013
【図１２】
2005260325.tif 000014
【図１３】
2005260325.tif 000015
【図１４】
2005260325.tif 000016
【図１５】
2005260325.tif 000017
【図１６】
2005260325.tif 000018